【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
外部装置と通信可能な情報処理装置であって、
ユーザの操作に応じてオン状態又はオフ状態になるスイッチと、
前記スイッチをオン状態からオフ状態にする駆動手段と、
前記スイッチと並列に配置されるリレーと、
前記外部装置から前記情報処理装置の電源をオフにするための指示を受信したことに基づいて、前記情報処理装置のシャットダウン処理を実行する実行手段と、
前記外部装置から前記情報処理装置の電源をオフにするための指示を受信したことに基づいて、前記駆動手段を制御して前記スイッチをオン状態からオフ状態にすると共に、前記リレーをオン状態からオフ状態にする電源制御手段と、を備える情報処理装置。
【請求項２】
前記シャットダウン処理は、ＯＳの終了処理を含む、ことを特徴とする請求項１に記載の情報処理装置。
【請求項３】
前記シャットダウン処理は、ファイルのクローズ処理、アプリケーションプログラムの終了処理、及び、各種入出力装置との通信の切断処理の少なくとも１つを含む、ことを特徴とする請求項１又は２に記載の情報処理装置。
【請求項４】
前記電源制御手段は、前記実行手段が前記シャットダウン処理の実行を開始した後に、前記駆動手段を制御して前記スイッチをオン状態からオフ状態にすると共に、前記リレーをオン状態からオフ状態にする、ことを特徴とする請求項１乃至３の何れか１項に記載の情報処理装置。
【請求項５】
前記電源制御手段は、前記実行手段による前記シャットダウン処理が完了した後に、前記駆動手段を制御して前記スイッチをオン状態からオフ状態にすると共に、前記リレーをオン状態からオフ状態にする、ことを特徴とする請求項１乃至４の何れか１項に記載の情報処理装置。
【請求項６】
前記電源制御手段は、前記リレーをオン状態からオフ状態にした後に、前記駆動手段を制御して前記スイッチをオン状態からオフ状態にする、ことを特徴とする請求項１乃至５の何れか１項に記載の情報処理装置。
【請求項７】
前記実行手段は、ユーザの操作に応じて前記スイッチがオフ状態になったことに従って、前記シャットダウン処理を実行する、ことを特徴とする請求項１乃至６の何れか１項に記載の情報処理装置。
【請求項８】
前記電源制御手段は、ユーザの操作に応じて前記スイッチがオフ状態になったことに従って、前記リレーをオン状態からオフ状態にする、ことを特徴とする請求項７に記載の情報処理装置。
【請求項９】
前記電源制御手段は、ユーザの操作に応じて前記スイッチがオフ状態になったことに従って、前記実行手段に割り込み信号を出力し、
前記実行手段は、前記割り込み信号が入力されたことに従って、前記シャットダウン処理を実行し、
前記電源制御手段は、前記シャットダウン処理が完了した後に、前記リレーをオン状態からオフ状態にする、ことを特徴とする請求項７又は８に記載の情報処理装置。
【請求項１０】
前記スイッチは、交流の電力が入力されるプラグと前記交流の電力を直流の電力に変換する変換手段との間に配置される、ことを特徴とする請求項１乃至９の何れか１項に記載の情報処理装置。
【請求項１１】
前記変換手段によって変換された前記直流の電力は、前記実行手段に供給される、ことを特徴とする請求項１０に記載の情報処理装置。
【請求項１２】
前記駆動手段は、ソレノイドを含み、
前記電源制御手段は、前記外部装置から前記情報処理装置の電源をオフにするための指示を受信したことに基づいて、前記ソレノイドに電力を供給する、ことを特徴とする請求項１乃至１１の何れか１項に記載の情報処理装置。
【請求項１３】
前記駆動手段は、前記ソレノイドに電力が供給されることによって動作する導体を含み、
前記電源制御手段は、前記外部装置から前記情報処理装置の電源をオフにするための指示を受信したことに基づいて、前記ソレノイドに電力を供給して、前記導体を動作させ、
前記ソレノイドに電力が供給されることによって前記導体は動作し、前記スイッチをオン状態からオフ状態にする、ことを特徴とする請求項１２に記載の情報処理装置。
【請求項１４】
印刷を行う印刷手段をさらに備える、ことを特徴とする請求項１乃至１３の何れか１項に記載の情報処理装置。
【請求項１５】
ユーザの操作に応じてオン状態又はオフ状態になるスイッチと、前記スイッチをオン状態からオフ状態にする駆動手段と、前記スイッチと並列に配置されるリレーと、を備え、外部装置と通信可能な情報処理装置の制御方法であって、
前記外部装置から前記情報処理装置の電源をオフにするための指示を受信したことに基づいて、前記情報処理装置のシャットダウン処理を実行する第１実行ステップと、
前記外部装置から前記情報処理装置の電源をオフにするための指示を受信したことに基づいて、前記駆動手段を制御して前記スイッチをオン状態からオフ状態にすると共に、前記リレーをオン状態からオフ状態にする電源制御ステップとを有する、ことを特徴とする情報処理装置の制御方法。
【請求項１６】
前記シャットダウン処理は、ＯＳの終了処理を含む、ことを特徴とする請求項１５に記載の情報処理装置の制御方法。
【請求項１７】
前記シャットダウン処理は、ファイルのクローズ処理、アプリケーションプログラムの終了処理、及び、各種入出力装置との通信の切断処理の少なくとも１つを含む、ことを特徴とする請求項１５又は１６に記載の情報処理装置の制御方法。
【請求項１８】
前記電源制御ステップは、前記第１実行ステップの実行が開始された後に、実行される、ことを特徴とする請求項１５乃至１７の何れか１項に記載の情報処理装置の制御方法。
【請求項１９】
前記電源制御ステップは、前記第１実行ステップの実行が完了した後に、実行される、ことを特徴とする請求項１５乃至１８の何れか１項に記載の情報処理装置の制御方法。
【請求項２０】
前記電源制御ステップでは、前記リレーをオン状態からオフ状態にした後に、前記駆動手段を制御して前記スイッチをオン状態からオフ状態にする、ことを特徴とする請求項１５乃至１９の何れか１項に記載の情報処理装置の制御方法。
【請求項２１】
ユーザの操作に応じて前記スイッチがオフ状態になったことに従って、前記情報処理装置のシャットダウン処理を実行する第２実行ステップをさらに有する、ことを特徴とする請求項１５乃至２０の何れか１項に記載の情報処理装置の制御方法。
【請求項２２】
ユーザの操作に応じて前記スイッチがオフ状態になったことに従って、前記リレーをオン状態からオフ状態にするリレー制御ステップをさらに有する、ことを特徴とする請求項２１に記載の情報処理装置の制御方法。
【請求項２３】
ユーザの操作に応じて前記スイッチがオフ状態になったことに従って割り込み信号を出力する信号出力ステップをさらに有し、
前記第２実行ステップは、前記割り込み信号が入力されることに従って、実行され、
前記リレー制御ステップは、前記第２実行ステップが実行された後に、実行される、ことを特徴とする請求項２１又は２２に記載の情報処理装置の制御方法。
【請求項２４】
前記スイッチは、交流の電力が入力されるプラグと前記交流の電力を直流の電力に変換する変換手段との間に配置される、ことを特徴とする請求項１５乃至２３の何れか１項に記載の情報処理装置の制御方法。
【請求項２５】
前記変換手段によって変換された前記直流の電力は、前記シャットダウン処理を実行する実行手段に供給される、ことを特徴とする請求項２４に記載の情報処理装置の制御方法。
【請求項２６】
前記駆動手段は、ソレノイドを含み、
前記電源制御ステップでは、前記外部装置から前記情報処理装置の電源をオフにするための指示を受信したことに基づいて、前記ソレノイドに電力を供給することを特徴とする請求項１５乃至２５の何れか１項に記載の情報処理装置の制御方法。
【請求項２７】
前記駆動手段は、前記ソレノイドに電力が供給されることによって動作する導体を含み、
前記電源制御ステップでは、前記外部装置から前記情報処理装置の電源をオフにするための指示を受信したことに基づいて、前記ソレノイドに電力を供給して、前記導体を動作させ、
前記ソレノイドに電力が供給されることによって前記導体は動作し、前記スイッチをオン状態からオフ状態にする、ことを特徴とする請求項２６に記載の情報処理装置の制御方法。
【請求項２８】
印刷を行う印刷ステップをさらに有する、ことを特徴とする請求項１５乃至２７の何れか１項に記載の情報処理装置の制御方法。
【請求項２９】
外部装置と通信可能な情報処理装置であって、
ユーザによって操作され得ると共にオン状態とオフ状態の間で作動するスイッチと、
前記スイッチをオン状態からオフ状態にする駆動手段と、
前記スイッチと並列に接続されたリレー回路と、
前記外部装置から前記情報処理装置の電源をオフにするための指示を受信する受信手段と、
前記受信手段が前記指示を受信したときに、前記情報処理装置のシャットダウン処理を実行し、前記駆動手段を制御して前記スイッチがオン状態からオフ状態にし、前記リレー回路をオン状態からオフ状態にする制御手段と、を備える情報処理装置。
【請求項３０】
前記制御手段は、前記情報処理装置のシャットダウン処理を実行する実行手段を有する、ことを特徴とする請求項２９に記載の情報処理装置。
【請求項３１】
前記制御手段は、前記駆動手段を制御して前記スイッチをオン状態からオフ状態にし、前記リレー回路をオン状態からオフ状態にする電力制御手段を備える、ことを特徴とする請求項２９又は３０に記載の情報処理装置。
【請求項３２】
前記シャットダウン処理は、ＯＳの終了処理を含む、ことを特徴とする請求項２９乃至３１の何れか１項に記載の情報処理装置。
【請求項３３】
前記シャットダウン処理は、ファイルのクローズ処理、アプリケーションプログラムの終了処理、及び、出入力装置との通信の切断処理の少なくとも１つを含む、ことを特徴とする請求項２９乃至３２の何れか１項に記載の情報処理装置。
【請求項３４】
印刷を実行する印刷手段をさらに備える、ことを特徴とする請求項２９乃至３３の何れか１項に記載の情報処理装置。
【請求項３５】
前記制御手段は、前記シャットダウン処理の実行が開始した後に、前記駆動手段を制御して前記スイッチがオン状態からオフ状態にすると共に、前記リレー回路をオン状態からオフ状態にする、ことを特徴とする請求項２９乃至３４の何れか１項に記載の情報処理装置。
【請求項３６】
前記制御手段は、前記シャットダウン処理の実行が完了した後に、前記駆動手段を制御して前記スイッチをオン状態からオフ状態にすると共に、前記リレー回路をオン状態からオフ状態にする、ことを特徴とする請求項２９乃至３５の何れか１項に記載の情報処理装置。
【請求項３７】
前記制御手段は、前記リレー回路をオン状態からオフ状態にした後に、前記駆動手段を制御して前記スイッチをオン状態からオフ状態にする、ことを特徴とする請求項２９乃至３６の何れか１項に記載の情報処理装置。
【請求項３８】
前記制御手段は、ユーザによって前記スイッチがオフ状態にされたとき、前記シャットダウン処理を実行する、ことを特徴とする請求項２９乃至３７の何れか１項に記載の情報処理装置。
【請求項３９】
前記制御手段は、ユーザによって前記スイッチがオフ状態にされたとき、前記リレー回路をオン状態からオフ状態にする、ことを特徴とする請求項３８に記載の情報処理装置。
【請求項４０】
前記制御手段は、ユーザによって前記スイッチがオフ状態にされたときに前記シャットダウン処理を実行した後、前記リレー回路をオン状態からオフ状態にする、ことを特徴とする請求項３８又は３９に記載の情報処理装置。
【請求項４１】
前記スイッチは、交流の電力が入力されるプラグと前記交流の電力を直流の電力に変換する変換手段との間に配置される、ことを特徴とする請求項２９乃至４０の何れか１項に記載の情報処理装置。
【請求項４２】
前記変換手段によって変換された前記直流の電力は、前記制御手段に供給される、ことを特徴とする請求項４１に記載の情報処理装置。
【請求項４３】
前記駆動手段は、ソレノイドを含み、
前記制御手段は、前記外部装置から前記指示を受信したことに基づいて、前記ソレノイドに電力を供給するよう制御する、ことを特徴とする請求項２９乃至４２の何れか１項に記載の情報処理装置。
【請求項４４】
前記駆動手段は、前記ソレノイドに前記電力が供給されたときに動作する導体を含み、
前記制御手段は、前記外部装置から前記指示を受信したことに基づいて、前記ソレノイドに前記電力を供給するよう制御して前記導体を動作させ、
前記導体は、前記スイッチをオン状態からオフ状態にする、ことを特徴とする請求項４３に記載の情報処理装置。